【手続補正書】
【提出日】平成22年10月13日(2010.10.13)
【手続補正１】
【補正対象書類名】特許請求の範囲
【補正対象項目名】全文
【補正方法】変更
【補正の内容】
【特許請求の範囲】
【請求項１】
プリントされるべき被プリント媒体のサイズ以上のサイズのプリントデータに基づいて被プリント媒体の端部に余白を設けずに画像をプリントするための余白無しプリントモードを実行するための条件を設定するプリント条件設定装置であって、
前記プリントされるべき被プリント媒体から外側にはみ出すプリントデータのはみ出し量を可変に設定可能な設定手段と、
前記設定手段によって可変に設定されるはみ出し量に応じて変化するサイズの画像と当該画像がプリントされるべき被プリント媒体とを表示画面に重ねて表示させる表示制御手段と、
を有することを特徴とするプリント条件設定装置。
【請求項２】
プリントされるべき被プリント媒体のサイズ以上のサイズのプリントデータに基づいて前記被プリント媒体の端部に余白を設けずに画像をプリントするための余白無しプリントモードを実行するための条件を設定するプリント条件設定装置であって、
前記プリントされるべき被プリント媒体から外側にはみ出すプリントデータのはみ出し量として設定可能な複数の異なるはみ出し量の中から、ユーザの指示に基づいて、前記プリントされるべき被プリント媒体から外側にはみ出すプリントデータのはみ出し量を設定する設定手段と、
前記設定手段によって設定されたはみ出し量に基づき生成されるプリントデータに従ってプリントされるべき画像が前記被プリント媒体からのはみ出す状態を表示画面に表示させるべく、前記プリントされるべき画像と当該画像がプリントされるべき被プリント媒体とを前記表示画面に重ねて表示させる表示制御手段と、
を有することを特徴とするプリント条件設定装置。
【請求項３】
前記設定手段により設定されたはみ出し量に基づいて、前記プリントデータのサイズが決定されることを特徴とする請求項１または２に記載のプリント条件設定装置。
【請求項４】
前記はみ出し量の設定前に、前記余白無しプリントモードが指定されることを特徴とする請求項１乃至３のいずれかに記載のプリント条件設定装置。
【請求項５】
前記設定手段により設定可能な複数の異なるはみ出し量に対応した複数のはみ出しレベルをユーザに指定させるための指定部を更に備え、
前記設定手段は、前記指定部において指定された１つのはみ出しレベルに対応したはみ出し量を設定することを特徴とする請求項１乃至４のいずれかに記載のプリント条件設定装置。
【請求項６】
前記余白無しプリントモードが指定された後に前記指定部におけるはみ出しレベルの指定が可能となり、
前記余白無しプリントモードが指定されない場合には前記はみ出しレベルの指定はできないことを特徴とする請求項５に記載のプリント条件設定装置。
【請求項７】
前記設定手段は、前記指定部において指定された１つのはみ出しレベルに応じて、前記プリント媒体の各端部からのはみ出し量を設定することを特徴とする請求項５に記載のプリント条件設定装置。
【請求項８】
前記設定手段により設定されたはみ出し量と前記プリントされるプリント媒体のサイズに基づいて、プリントすべき画像を示す画像データの拡大率を決定する決定手段と、
前記決定手段により決定された拡大率に基づいて、前記プリントデータを生成する生成手段と、
を更に有することを特徴とする請求項１乃至７のいずれかに記載のプリント条件設定装置。
【請求項９】
前記決定手段により決定された拡大率に基づいて、前記画像データの解像度を決定する手段を更に有し、
前記生成手段は、決定された解像度に基づいて前記プリントデータを生成することを特徴とする請求項８に記載のプリント条件設定装置。
【請求項１０】
前記決定手段は、前記設定手段により設定された上下のはみ出し量に基づいて前記画像データの縦方向拡大率を算出し、前記設定手段により設定された左右のはみ出し量に基づいて前記画像データの横方向拡大率を算出し、
前記生成手段は、前記縦方向拡大率と前記横方向拡大率のうち大きい方の拡大率に基づいて、前記プリントデータを生成することを特徴とする請求項８に記載のプリント条件設定装置。
【請求項１１】
前記生成手段により生成されたプリントデータを、前記余白無しプリントモードを実行可能なプリンタに出力する出力手段を更に備えることを特徴とする請求項８乃至１０のいずれかに記載のプリント条件設定装置。 
【請求項１２】
前記設定手段によって設定可能な複数のはみ出し量のうち、最小のはみ出し量は０であることを特徴とする請求項１乃至１１のいずれかに記載のプリント条件設定装置。
【請求項１３】
プリントされるべき被プリント媒体のサイズ以上のサイズのプリントデータに基づいて前記被プリント媒体の端部に余白を設けずに画像をプリントするための余白無しプリントモードを実行するための条件を設定するプリント条件設定方法であって、
前記プリントされるべき被プリント媒体から外側にはみ出すプリントデータのはみ出し量として設定可能な複数の異なるはみ出し量の中から、ユーザの指示に基づいて、前記プリントされるべき被プリント媒体から外側にはみ出すプリントデータのはみ出し量を設定する設定工程と、
前記設定工程において設定されたはみ出し量に基づき生成されるプリントデータに従ってプリントされるべき画像が前記被プリント媒体からのはみ出す状態を表示画面に表示させるべく、前記プリントされるべき画像と当該画像がプリントされるべき被プリント媒体とを前記表示画面に重ねて表示させる工程と、
を有することを特徴とするプリント条件設定方法。
【請求項１４】
請求項１乃至１２のいずれかに記載のプリント条件設定装置と、前記プリント条件設定装置で設定された条件に基づいて、被プリント媒体の端部に余白を設けずに画像をプリントすることが可能なプリント装置と、
を有することを特徴とするプリントシステム。
【請求項１５】
被プリント媒体の端部に余白を設けずに画像をプリントすることが可能なプリンタと、前記プリンタに供給するためのプリントデータを生成するためのデータ生成装置とを含むプリントシステムであって、
前記データ生成装置は、
プリントされるべき被プリント媒体から外側にはみ出すプリントデータのはみ出し量として設定可能な複数の異なるはみ出し量の中から、ユーザの指示に基づいて、前記プリントされるべき被プリント媒体から外側にはみ出すプリントデータのはみ出し量を設定する設定手段と、
前記設定手段により設定されたはみ出し量に基づいて前記プリントデータを生成する生成手段と、
前記生成手段によって生成されるプリントデータに従ってプリントされるべき画像が前記被プリント媒体からのはみ出す状態を表示画面に表示させるべく、前記プリントされるべき画像と当該画像がプリントされるべき被プリント媒体とを前記表示画面に重ねて表示させる表示制御手段と、
前記生成手段により生成されたプリントデータを前記プリンタへ供給する手段と、
を備えることを特徴とするプリントシステム。
【請求項１６】
プリントデータに基づいて被プリント媒体の端部に余白を設けずに画像をプリントするための条件を設定する方法をコンピュータに実行させるためのプログラムであって、
前記方法は、ユーザの指示に基づいて、プリントされるべき被プリント媒体から外側にはみ出すプリントデータのはみ出し量を可変に設定可能な設定工程と、
前記設定工程によって可変に設定されるはみ出し量に応じて変化するサイズの画像と当該画像がプリントされるべき被プリント媒体とを表示画面に重ねて表示させる工程と、
を含むことを特徴とするプログラム。
【請求項１７】
プリントデータに基づいて被プリント媒体の端部に余白を設けずに画像をプリントするための条件を設定する方法をコンピュータに実行させるためのプログラムであって、
前記方法は、プリントされるべき被プリント媒体から外側にはみ出すプリントデータのはみ出し量として設定可能な複数の異なるはみ出し量の中から、ユーザの指示に基づいて、前記プリントされるべき被プリント媒体から外側にはみ出すプリントデータのはみ出し量を設定する設定工程と、
前記設定工程において設定されたはみ出し量に基づき生成されるプリントデータに従ってプリントされるべき画像と当該画像がプリントされるべき被プリント媒体とを表示画面に重ねて表示させる工程と、
を含むことを特徴とするプログラム。